(57)【特許請求の範囲】
【請求項１】
大気中に飛散している塩分を捕獲可能であるとともに通気性を有する素材と、該素材を筒状にして立てた状態で保持する保持体とを有する飛散塩分捕獲体と、
前記飛散塩分捕獲体を収容し、前記素材に導風する導風口が設けられた箱と、
を備え、
前記保持体は、
前記素材が巻き付けられ、網状に設けられた筒部と、
前記素材の下に設けられ、前記素材から落ちた塩分を受ける受け皿と、を有し、
前記導風口が前記筒部の径方向外側において前記素材の周囲を囲うように前記箱に設けられている飛散塩分捕獲装置。
【請求項２】
前記保持体は、
前記筒部の下部から下方に延び、前記受け皿を支持する軸部
を備える請求項１に記載の飛散塩分捕獲装置。
【請求項３】
前記導風口にはガラリが設けられている請求項１に記載の飛散塩分捕獲装置。
【請求項４】
前記飛散塩分捕獲体には、方位を示す指標が記されている請求項１から請求項３までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。また、特許文献１に記載の海塩粒子（気中塩分）の捕捉分析方法は、海塩粒子よりも目が細かいフィルタを通して大気を吸引することにより、海塩粒子をフィルタで捕捉するというものである。
【先行技術文献】
【特許文献】
【０００３】
【特許文献１】特開２０１０−１１２７１９号公報
【発明の概要】
【発明が解決しようとする課題】
【０００４】
特許文献１に記載の気中塩分捕獲装置では、風速に関わらず空気の吸引量が一定であることから、飛散塩分量を求めるためには風速を測定してその測定値に基づいて計算を行う必要がある。また、上記ドライガーゼ法では、ガーゼを百葉箱内に設置する場合には、面状に張られたガーゼを一方向に向けて設置していたため、特定方向から飛来する飛散塩分しか捕獲できない。従って、飛散塩分の捕獲量が少なくなることで飛散塩分量を正確に測定できない、飛来方向毎に飛散塩分量を測定できないといった課題があった。【０００５】
本発明は、上記事情に鑑みてなされたものであり、風速に応じた量の塩分を捕獲できると共に、様々な方向から飛来する飛散塩分を捕獲できる飛散塩分捕獲装置を提供することを課題とするものである。
【課題を解決するための手段】
【０００６】
本発明に係る飛散塩分捕獲装置は、大気中に飛散している塩分を捕獲可能であるとともに通気性を有する素材と、該素材を筒状にして立てた状態で保持する保持体とを有する飛散塩分捕獲体と、前記飛散塩分捕獲体を収容し、前記素材に導風する導風口が設けられた箱と、を備え、前記保持体は、前記素材が巻き付けられ、網状に設けられた筒部と、前記素材の下に設けられ、前記素材から落ちた塩分を受ける受け皿と、を有し、前記導風口が前記筒部の径方向外側において前記素材の周囲を囲うように前記箱に設けられている。
【０００７】
前記飛散塩分捕獲装置において、前記保持体は、前記筒部の下部から下方に延び、前記受け皿を支持する軸部を備えてもよい。
【０００８】
前記飛散塩分捕獲装置において、前記導風口にはガラリが設けられてもよい。さらに、前記飛散塩分捕獲体には、方位を示す指標が記されてもよい。
【発明の効果】
【０００９】
本発明によれば、風速に応じた量の塩分を捕獲できると共に、様々な方向から飛来する飛散塩分を捕獲できる。
【図面の簡単な説明】
【００１０】
【図１】一実施形態に係る飛散塩分捕獲装置を示す斜視図である。
【図２】一実施形態に係る飛散塩分捕獲装置を示す縦断面図である。
【図３】一実施形態に係る飛散塩分捕獲装置の内部を示す斜視図である。
【図４】一実施形態に係る飛散塩分捕獲装置の作用を示す平断面図である。
【図５】一実施形態に係る飛散塩分捕捉装置の作用を示す縦断面図である。
【発明を実施するための形態】
【００１１】
以下、図面を参照しながら、本発明を実施するための形態を説明する。図１は、一実施形態に係る飛散塩分捕獲装置１０を示す斜視図である。また、図２は、飛散塩分捕獲装置１０を示す縦断面図であり、図３は、飛散塩分捕獲装置１０の内部を示す斜視図である。これらの図に示すように、飛散塩分捕獲装置１０は、百葉箱１と、百葉箱１内に設置された飛散塩分捕獲体２０とを備えている。
【００１２】
百葉箱１は、直方体状の箱であり、四つの側面にガラリ２が設けられている。ガラリ２は、奥側へかけて上側に約４５°で傾斜する整流板が縦に並んだ構成である。また、百葉箱１の上面には、飛散塩分捕獲体２０を箱内に出し入れするための蓋３が設けられている。この蓋３の一辺がヒンジ８（図２参照）を介して百葉箱１の上端の一辺に取り付けられており、蓋３のヒンジ８とは反対側の一辺と百葉箱１の上端の一辺とが蝶番９で着脱可能に固定されている。なお、飛散塩分捕獲体２０を百葉箱１の下部から取り替えるようにして、蓋３を省略してもよい。
【００１３】
図２及び図３に示すように、飛散塩分捕獲体２０は、通気性を有し、飛散する塩分を捕獲可能であるガーゼ２２と、ガーゼ２２が巻き付けられたガーゼホルダー２４と、ガーゼホルダー２４に支持された受け皿２６とを備えている。ガーゼ２２には、非導電性のインクにより方位が記されている。
【００１４】
ガーゼホルダー２４は、網状の円筒体２４Ａと、円筒体２４Ａの上下両端を閉塞する円板状の蓋部２４Ｂ、２４Ｃと、蓋部２４Ｂ、２４Ｃの上下の同軸上に設けられた軸部２８Ａ、２８Ｂとを備えている。蓋部２４Ｂの中心に軸部２８Ａの下端が結合され、蓋部２４Ｃの中心に軸部２８Ｂの上端が結合されている。また、受け皿２６は、有底の円筒状の部材であり、その中心に軸部２８Ｂが結合されている。この受け皿２６は、蓋部２４Ｂよりも大径であり、ガーゼ２２から落ちた塩分が溜まるように蓋部２４Ｂの近傍に配されている。
【００１５】
百葉箱１の底部には、一組の対辺の中央部同士を結合する梁材４が設けられており、この梁材４の長手方向中央部に円筒状の軸受部５が鉛直に取り付けられている。この軸受部５に飛散塩分捕獲体２０の軸部２８Ｂが挿入されることにより、飛散塩分捕獲体２０が、百葉箱１内で鉛直に保持される。
【００１６】
また、百葉箱１の上部には、一組の対辺の中央部同士を結合する細長い板材６が設けられており、この板材６の長手方向中央部には、幅方向一端から中央まで延びる長穴６Ａが形成されている。また、板材６の長手方向中央部にはロック板７が鉛直軸周りに回転可能に設けられている。このロック板７は、細長い板材であり、長手方向一端部に回転軸７Ａ（図３参照）が設けられ、長手方向他端部にロックピン７Ｂが設けられている。このロックピン７Ｂは、ロック板７の長手方向他端部と板材６とに開けられた孔に抜き挿しされ、当該孔に挿入されると拡径した頭部がロック板７に係合する。ここで、ロック板７が長穴６Ａと直交する状態で、ロック板７と板材６とのロックピン７Ｂの挿入孔の位置が揃い、ロック板７と長穴６Ａの一端部とが軸部２８Ａを挟み込んで固定する。一方、ロック板７が長穴６Ａと重ならない状態で、軸部２８Ａを長穴６Ａから抜き出すことが可能になる。
【００１７】
ここで、軸部２８Ｂの軸受部５への挿入長さは、上側の蓋部２４Ｂと板材６との間隔より短くなっている。また、板材６と百葉箱１の側面との間隔は、ガーゼホルダー２４の直径よりも広くなっている。これにより、ロック板７により軸部２８Ａの固定を解除し、飛散塩分捕獲体２０を、軸部２８Ｂが軸受部５から抜き出されるように引き上げて軸部２８Ａを長穴６Ａから抜き出してから、板材６と百葉箱１の側面との間を通して引き上げることにより、百葉箱１内から取り出すことができる。一方、飛散塩分捕獲体２０を、板材６と百葉箱１の側面との間を通して降ろし、軸部２８Ａを長穴６Ａの奥まで挿入してから、軸部２８Ｂが軸受部５に挿入されるように降ろし、ロック板７により軸部２８Ａを固定することにより、百葉箱１内に設置できる。
【００１８】
図４は、飛散塩分捕獲装置１０の作用を示す平断面図である。この図に示すように、百葉箱１の四面にガラリ２が設けられているため、風向にかかわらず風が百葉箱１内を吹き抜ける。また、百葉箱１の中心において、ガーゼ２２がガーゼホルダー２４により円筒状に立てた状態で保持されているため、風向にかかわらず百葉箱１内を吹き抜ける風がガーゼ２２を通過する。これにより、風向に関わらずガーゼ２２には飛散塩分が付着する。また、風速に応じた量の飛散塩分がガーゼ２２に付着する。
【００１９】
図５は、飛散塩分捕獲装置１０の作用を示す縦断面図である。この図に示すように、百葉箱１の四面のガラリ２は、奥側へかけて上側に約４５°で傾斜する整流板が縦に並んだ構成であることから、百葉箱１内を風が吹き抜ける一方で、百葉箱１内への雨の降り込みが防止される。これにより、設置場所の屋根の有無にかかわらず、風速に応じた量の飛散塩分がガーゼ２２に付着すると共に、ガーゼ２２に付着した塩分が雨により洗い流されることが防止される。
【００２０】
以上説明したように、本実施形態に係る飛散塩分捕獲装置１０は、大気中に飛散している塩分を捕獲可能であるガーゼ２２と、ガーゼ２２を筒状にして立てた状態で保持するガーゼホルダー２４とを有する飛散塩分捕獲体２０を備える。即ち、ガーゼ２２を全方位に向けて曝露することによって、風速に応じた量の飛散塩分を、その飛来方向にかかわらずガーゼ２２で捕獲できる。
【００２１】
また、ガーゼホルダー２４は、ガーゼ２２が巻き付けられる円筒体２４Ａと、円筒体２４Ａの下部から下方に延びる軸部２８Ｂとを備え、軸部２８Ｂに支持され、ガーゼ２２から落ちた塩分を受ける受け皿２６を備える。これによって、ガーゼ２２から受け皿２６に落ちた塩分量を加算してガーゼ２２の捕獲塩分量を測定することができ、飛散塩分量の測定の精度を高めることができる。
【００２２】
また、飛散塩分捕獲体２０が、側面にガラリ２が設けられた百葉箱１内に設置されていることにより、ガーゼ２２に、設置場所の屋根の有無にかかわらず雨の影響を受けることがないように、風速に応じた量の塩分を付着させることができる。
【００２３】
さらに、飛散塩分捕獲体２０には、方位を示す指標が記されていることにより、各方位毎に飛散塩分量を測定することが可能になる。
【００２４】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、飛散塩分捕獲体２０を円筒状としたが角筒状等の他の筒形状としてもよい。
【符号の説明】
【００２５】
１  百葉箱、２  ガラリ、３  蓋、４  梁材、５  軸受部、６  板材、６Ａ  長穴、７  ロック板、７Ａ  回転軸、７Ｂ  ロックピン、８  ヒンジ、９  蝶番、１０  飛散塩分捕獲装置、２０  飛散塩分捕獲体、２２  ガーゼ、２４  ガーゼホルダー、２４Ａ  円筒体、２４Ｂ、２４Ｃ  蓋部、２６  受け皿、２８Ａ、２８Ｂ  軸部
【図１】
0005876615.tif 000002
【図２】
0005876615.tif 000003
【図３】
0005876615.tif 000004
【図４】
0005876615.tif 000005
【図５】
0005876615.tif 000006